(57)【要約】    【課題】  成果物に不具合を生じさせるような、綴じモードとパンチモードとの不適切な組み合わせの設定が行われることを未然に回避することができる画像形成装置を提供する。    【解決手段】  シート先端に多数個の穴をあける第１パンチユニット７００による多穴パンチモードの設定が行われると、シート後端を綴じるステイプルユニット５０５による「コーナー綴じ」または「ダブル綴じ」のステイプルモードの設定が禁止される。ステイプルユニット５０５によるステイプルモードの設定が行われると、第１パンチユニット７００による多穴パンチモードの設定が禁止される。【選択図】      図１
2007062912.tif 000002
【特許請求の範囲】
【請求項１】
シートに画像を形成する画像形成手段と、
シートの搬送方向に対して後端となる部位に綴じ処理を行う綴じユニットと、
シートの搬送方向に対して先端となる部位にパンチ処理を行う第１のパンチユニットと、
前記綴じユニットにより綴じ処理を行う綴じモード、前記第１のパンチユニットによりパンチ処理を行う第１のパンチモードをそれぞれ後処理モードとして設定するモード設定手段と、
前記第１のパンチモードが設定されたときに、前記綴じモードの設定を禁止し、前記綴じモードが設定されたときに、前記第１のパンチモードの設定を禁止する制御手段と
を有することを特徴とする画像形成装置。
【請求項２】
シートの搬送方向に対して後端となる部位にパンチ処理を行う第２のパンチユニットを有し、
前記モード設定手段は、前記第２のパンチユニットによりパンチ処理を行う第２のパンチモードを前記第１のパンチモードと排他的に設定することが可能であり、
前記制御手段は、前記第２のパンチモードが設定されたときに、前記綴じモードの設定を許可し、前記綴じモードが設定されたときに、前記第２のパンチモードの設定を許可することを特徴とする請求項１記載の画像形成装置。
【請求項３】
シートに画像を形成する画像形成手段と、
シートの搬送方向に対して後端となる部位に綴じ処理を行う綴じユニットと、
シートの搬送方向に対して先端となる部位にパンチ処理を行う第１のパンチユニットと、
前記綴じユニットにより綴じ処理を行う綴じモード、前記第１のパンチユニットによりパンチ処理を行う第１のパンチモードをそれぞれ後処理モードとして設定するモード設定手段と、
前記綴じモードが設定されている状態で前記第１のパンチモードの設定が行われると、該綴じモードの設定を解除し、前記第１のパンチモードが設定されている状態で前記綴じモードの設定が行われると、該第１のパンチモードの設定を解除する制御手段と
を有することを特徴とする画像形成装置。
【請求項４】
シートに画像を形成する画像形成手段と、
シートの搬送方向に対して後端となる部位に綴じ処理を行う綴じユニットと、
シートの搬送方向に対して先端となる部位にパンチ処理を行う第１のパンチユニットと、
前記綴じユニットにより綴じ処理を行う綴じモード、前記第１のパンチユニットによりパンチ処理を行う第１のパンチモードをそれぞれ後処理モードとして設定するモード設定手段と、
前記第１のパンチモードと前記綴じモードとのいずれかを優先後処理モードとして選択する優先後処理モード選択手段と、
前記モード設定手段により前記第１のパンチモードと前記綴じモードとのいずれか一方の後処理モードが設定されている状態で他方の後処理モードが設定されると、前記設定されている後処理モードのうち、前記選択されている優先後処理モードと異なる後処理モードの設定を解除する制御手段と
を有することを特徴とする画像形成装置。
【請求項５】
シートに画像を形成する画像形成手段と、
シートの搬送方向に対して後端となる部位に綴じ処理を行う綴じユニットと、
シートの搬送方向に対して先端となる部位にパンチ処理を行う第１のパンチユニットと、
前記綴じユニットにより綴じ処理を行う綴じモード、前記第１のパンチユニットによりパンチ処理を行う第１のパンチモードをそれぞれ後処理モードとして設定するモード設定手段と、
前記モード設定手段により前記第１のパンチモードと前記綴じモードとのいずれか一方の後処理モードが設定されている状態で他方の後処理モードが設定されると、前記第１のパンチモードと前記綴じモードとのいずれを有効にするかを選択する選択手段と、
前記設定されている後処理モードのうち、前記有効にするように選択された処理モードと異なる後処理モードの設定を解除する制御手段と
を有することを特徴とする画像形成装置。
【請求項６】
シートに画像を形成する画像形成手段と、シートの搬送方向に対して後端となる部位に綴じ処理を行う綴じユニットと、シートの搬送方向に対して先端となる部位にパンチ処理を行う第１のパンチユニットとを備える画像形成装置の制御方法であって、
前記綴じユニットにより綴じ処理を行う綴じモード、前記第１のパンチユニットによりパンチ処理を行う第１のパンチモードをそれぞれ後処理モードとして設定するモード設定工程と、
前記第１のパンチモードが設定されたときに、前記綴じモードの設定を禁止し、前記綴じモードが設定されたときに、前記第１のパンチモードの設定を禁止する制御工程と
を有することを特徴とする画像形成装置の制御方法。
【請求項７】
前記画像形成装置は、シートの搬送方向に対して後端となる部位にパンチ処理を行う第２のパンチユニットを備え、
前記モード設定工程では、前記第２のパンチユニットによりパンチ処理を行う第２のパンチモードを前記第１のパンチモードと排他的に設定することが可能であり、
前記制御工程では、前記第２のパンチモードが設定されたときに、前記綴じモードの設定を許可し、前記綴じモードが設定されたときに、前記第２のパンチモードの設定を許可することを特徴とする請求項６記載の画像形成装置の制御方法。
【請求項８】
シートに画像を形成する画像形成手段と、シートの搬送方向に対して後端となる部位に綴じ処理を行う綴じユニットと、シートの搬送方向に対して先端となる部位にパンチ処理を行う第１のパンチユニットとを備える画像形成装置の制御方法であって、
前記綴じユニットにより綴じ処理を行う綴じモード、前記第１のパンチユニットによりパンチ処理を行う第１のパンチモードをそれぞれ後処理モードとして設定するモード設定工程と、
前記綴じモードが設定されている状態で前記第１のパンチモードの設定が行われると、該綴じモードの設定を解除し、前記第１のパンチモードが設定されている状態で前記綴じモードの設定が行われると、該第１のパンチモードの設定を解除する制御工程と
を有することを特徴とする画像形成装置。
【請求項９】
シートに画像を形成する画像形成手段と、シートの搬送方向に対して後端となる部位に綴じ処理を行う綴じユニットと、シートの搬送方向に対して先端となる部位にパンチ処理を行う第１のパンチユニットとを備える画像形成装置の制御方法であって、
前記綴じユニットにより綴じ処理を行う綴じモード、前記第１のパンチユニットによりパンチ処理を行う第１のパンチモードをそれぞれ後処理モードとして設定するモード設定工程と、
前記第１のパンチモードと前記綴じモードとのいずれかを優先後処理モードとして選択する優先後処理モード選択工程と、
前記第１のパンチモードと前記綴じモードとのいずれか一方の後処理モードが設定されている状態で他方の後処理モードが設定されると、前記設定されている後処理モードのうち、前記選択されている優先後処理モードと異なる後処理モードの設定を解除する制御工程と
を有することを特徴とする画像形成装置の制御方法。
【請求項１０】
シートに画像を形成する画像形成手段と、シートの搬送方向に対して後端となる部位に綴じ処理を行う綴じユニットと、シートの搬送方向に対して先端となる部位にパンチ処理を行う第１のパンチユニットとを備える画像形成装置の制御方法であって、
前記綴じユニットにより綴じ処理を行う綴じモード、前記第１のパンチユニットによりパンチ処理を行う第１のパンチモードをそれぞれ後処理モードとして設定するモード設定工程と、
前記第１のパンチモードと前記綴じモードとのいずれか一方の後処理モードが設定されている状態で他方の後処理モードが設定されると、ユーザの操作に基づいて前記第１のパンチモードと前記綴じモードとのいずれを有効にするかを選択する選択工程と、
前記設定されている後処理モードのうち、前記有効にするように選択された処理モードと異なる後処理モードの設定を解除する制御工程と
を有することを特徴とする画像形成装置の制御方法。
【請求項１１】
シートに画像を形成する画像形成手段と、シートの搬送方向に対して後端となる部位に綴じ処理を行う綴じユニットと、シートの搬送方向に対して先端となる部位にパンチ処理を行う第１のパンチユニットとを備える画像形成装置を制御するためのプログラムであって、
前記綴じユニットにより綴じ処理を行う綴じモード、前記第１のパンチユニットによりパンチ処理を行う第１のパンチモードをそれぞれ後処理モードとして設定するモード設定モジュールと、
前記第１のパンチモードが設定されたときに、前記綴じモードの設定を禁止し、前記綴じモードが設定されたときに、前記第１のパンチモードの設定を禁止する制御モジュールと
を有することを特徴とするプログラム。
【請求項１２】
シートに画像を形成する画像形成手段と、シートの搬送方向に対して後端となる部位に綴じ処理を行う綴じユニットと、シートの搬送方向に対して先端となる部位にパンチ処理を行う第１のパンチユニットとを備える画像形成装置を制御するためのプログラムであって、
前記綴じユニットにより綴じ処理を行う綴じモード、前記第１のパンチユニットによりパンチ処理を行う第１のパンチモードをそれぞれ後処理モードとして設定するモード設定モジュールと、
前記綴じモードが設定されている状態で前記第１のパンチモードの設定が行われると、該綴じモードの設定を解除し、前記第１のパンチモードが設定されている状態で前記綴じモードの設定が行われると、該第１のパンチモードの設定を解除する制御モジュールと
を有することを特徴とするプログラム。
【請求項１３】
シートに画像を形成する画像形成手段と、シートの搬送方向に対して後端となる部位に綴じ処理を行う綴じユニットと、シートの搬送方向に対して先端となる部位にパンチ処理を行う第１のパンチユニットとを備える画像形成装置を制御するためのプログラムであって、
前記綴じユニットにより綴じ処理を行う綴じモード、前記第１のパンチユニットにより綴じ処理を行う第１のパンチモードをそれぞれ後処理モードとして設定するモード設定モジュールと、
前記第１のパンチモードと前記綴じモードとのいずれかを優先後処理モードとして選択する優先後処理モード選択モジュールと、
前記第１のパンチモードと前記綴じモードとのいずれか一方の後処理モードが設定されている状態で他方の後処理モードが設定されると、前記設定されている後処理モードのうち、前記選択されている優先後処理モードと異なる後処理モードの設定を解除する制御モジュールと
を有することを特徴とするプログラム。
【請求項１４】
シートに画像を形成する画像形成手段と、シートの搬送方向に対して後端となる部位に綴じ処理を行う綴じユニットと、シートの搬送方向に対して先端となる部位にパンチ処理を行う第１のパンチユニットとを備える画像形成装置を制御するためのプログラムであって、
前記綴じユニットにより綴じ処理を行う綴じモード、前記第１のパンチユニットによりパンチ処理を行う第１のパンチモードをそれぞれ後処理モードとして設定するモード設定モジュールと、
前記第１のパンチモードと前記綴じモードとのいずれか一方の後処理モードが設定されている状態で他方の後処理モードが設定されると、ユーザの操作に基づいて前記第１のパンチモードと前記綴じモードとのいずれを有効にするかを選択する選択モジュールと、
前記設定されている後処理モードのうち、前記有効にするように選択された処理モードと異なる後処理モードの設定を解除する制御モジュールと
を有することを特徴とするプログラム。
【請求項１５】
請求項１１ないし１４のいずれか１つをコンピュータ読み取り可能に格納したことを特徴とする記憶媒体。
【発明の詳細な説明】
【技術分野】
【０００１】
本発明は、シートに対して後処理を行うことが可能な画像形成装置、その制御方法、プログラムおよび記憶媒体に関する。
【背景技術】
【０００２】
画像形成装置から搬入されるシートに対して後処理を施すシート処理装置として、装置に着脱可能な、パンチ処理を行うためのパンチユニットと、ステイプル処理を行うためのステイプルユニットとを備えるものがある（例えば特許文献１参照）。このようなシート処理装置においては、パンチ処理、ステイプル処理を同時に施すことが可能である。
【０００３】
パンチ処理に関しては、パンチ穴の個数、大きさ、位置などを指定することが可能であり、指定された内容に対応するパンチユニットがシート処理装置に装着される。
【０００４】
また、ステイプル処理に関しては、シートの一端に対するステイプル位置（綴じ位置）およびその数を指定することが可能である。例えば、シートの一端を、手前一箇所、奥一箇所、または二箇所で綴じるように指定することができる。
【０００５】
しかしながら、パンチ処理とステイプル処理とが同時に行われる場合、パンチ位置とステイプル位置とが互いに干渉するような指定が行われることがあり、このような指定が行われると、成果物に不具合が発生することがある。そこで、不具合の発生を回避するために、上記シート処理装置においては、指定されたパンチ位置とステイプル位置とが干渉するか否かを判断し、両者の位置が互いに干渉する場合、ステイプルユニットによるステイプル動作を禁止する制御が行われる。
【特許文献１】特許第３３３６２０３号公報
【発明の開示】
【発明が解決しようとする課題】
【０００６】
ステイプルユニットは、シートの搬送方向に対して後端となる部位に対してステイプル処理を施すように構成されている。
【０００７】
パンチユニットとしては、例えば２〜４穴などの少数の穿孔を行う少数穴用パンチユニット、２６穴、３０穴などの多数の穿孔を行う多穴用パンチユニットなどがある。少数穴用パンチユニットは、シート後端（シートの搬送方向に対して後端となる部位）に対してパンチ処理を施す。これに対し、多穴用パンチユニットは、シート先端（シートの搬送方向に対して先端となる部位）に対してパンチ処理を施すように構成されている場合が多い。
【０００８】
シート後端にパンチ処理を施す場合は、パンチ処理の精度を高めるために、シートをスイッチバックして搬送し、突き当て部材にシート後端を突き当てる必要がある。そして、後端が突き当て部材に突き当てられたシートに対してパンチ処理が行われる。この場合は、シートをスイッチバックさせることによって、生産性が低下するというデメリットがある。
【０００９】
これに対し、シート先端にパンチ処理を施す場合は、同様に、突き当て部材が使用されるが、シートをスイッチバックさせる必要がなく、シート後端にパンチ処理を施す場合に比して、生産性の点で有利である。このため、多穴用パンチユニットは、シート処理の精度と生産性との観点から、上述したように、シート先端に対してパンチ処理を行うように構成されている場合が多い。
【００１０】
ここで、例えば、シート処理装置において、シート先端に対してパンチ処理を行う多穴用パンチユニットを用いて多穴パンチ処理とステイプル処理とを順に行う場合について図１８を参照しながら説明する。図１８は従来のシート処理装置において、シート先端に対してパンチ処理を行う多穴用パンチユニットを用いて多穴パンチ処理とステイプル処理とを実施した場合に得られた成果物の一例を示す図である。
【００１１】
この場合、多穴用パンチユニットによりパンチ位置は、シート先端であり、ステイプル位置は、シート後端である。よって、上述した従来の制御においては、パンチ位置とステイプル位置とが互いに干渉することはないので、ステイプルユニットによるステイプル動作が禁止されることはなく、多穴パンチ処理とステイプル処理とが実行される。その結果、図１８に示すような、異なる端部にパンチ処理とステイプル処理とがそれぞれ施された成果物が出力される。しかしながら、このような成果物は、ユーザにとっては、好ましくないものである。
【００１２】
本発明の目的は、成果物に不具合を生じさせるような、綴じモードとパンチモードとの不適切な組み合わせの設定が行われることを未然に回避することができる画像形成装置、その制御方法、プログラムおよび記憶媒体を提供することにある。
【課題を解決するための手段】
【００１３】
本発明は、上記目的を達成するため、シートに画像を形成する画像形成手段と、シートの搬送方向に対して後端となる部位に綴じ処理を行う綴じユニットと、シートの搬送方向に対して先端となる部位にパンチ処理を行う第１のパンチユニットと、前記綴じユニットにより綴じ処理を行う綴じモード、前記第１のパンチユニットによりパンチ処理を行う第１のパンチモードをそれぞれ後処理モードとして設定するモード設定手段と、前記第１のパンチモードが設定されたときに、前記綴じモードの設定を禁止し、前記綴じモードが設定されたときに、前記第１のパンチモードの設定を禁止する制御手段とを有することを特徴とする画像形成装置を提供する。
【００１４】
本発明は、上記目的を達成するため、シートに画像を形成する画像形成手段と、シートの搬送方向に対して後端となる部位に綴じ処理を行う綴じユニットと、シートの搬送方向に対して先端となる部位にパンチ処理を行う第１のパンチユニットと、前記綴じユニットにより綴じ処理を行う綴じモード、前記第１のパンチユニットによりパンチ処理を行う第１のパンチモードをそれぞれ後処理モードとして設定するモード設定手段と、前記綴じモードが設定されている状態で前記第１のパンチモードの設定が行われると、該綴じモードの設定を解除し、前記第１のパンチモードが設定されている状態で前記綴じモードの設定が行われると、該第１のパンチモードの設定を解除する制御手段とを有することを特徴とする画像形成装置を提供する。
【００１５】
本発明は、上記目的を達成するため、シートに画像を形成する画像形成手段と、シートの搬送方向に対して後端となる部位に綴じ処理を行う綴じユニットと、シートの搬送方向に対して先端となる部位にパンチ処理を行う第１のパンチユニットと、前記綴じユニットにより綴じ処理を行う綴じモード、前記第１のパンチユニットによりパンチ処理を行う第１のパンチモードをそれぞれ後処理モードとして設定するモード設定手段と、前記第１のパンチモードと前記綴じモードとのいずれかを優先後処理モードとして選択する優先後処理モード選択手段と、前記モード設定手段により前記第１のパンチモードと前記綴じモードとのいずれか一方の後処理モードが設定されている状態で他方の後処理モードが設定されると、前記設定されている後処理モードのうち、前記選択されている優先後処理モードと異なる後処理モードの設定を解除する制御手段とを有することを特徴とする画像形成装置を提供する。
【００１６】
本発明は、上記目的を達成するため、シートに画像を形成する画像形成手段と、シートの搬送方向に対して後端となる部位に綴じ処理を行う綴じユニットと、シートの搬送方向に対して先端となる部位にパンチ処理を行う第１のパンチユニットと、前記綴じユニットにより綴じ処理を行う綴じモード、前記第１のパンチユニットによりパンチ処理を行う第１のパンチモードをそれぞれ後処理モードとして設定するモード設定手段と、前記モード設定手段により前記第１のパンチモードと前記綴じモードとのいずれか一方の後処理モードが設定されている状態で他方の後処理モードが設定されると、前記第１のパンチモードと前記綴じモードとのいずれを有効にするかを選択する選択手段と、前記設定されている後処理モードのうち、前記有効にするように選択された処理モードと異なる後処理モードの設定を解除する制御手段とを有することを特徴とする画像形成装置を提供する。
【００１７】
また、本発明は、上記目的を達成するため、画像形成装置の制御方法、プログラムおよび記憶媒体を提供する。
【発明の効果】
【００１８】
本発明によれば、成果物に不具合を生じさせるような、綴じモードとパンチモードとの不適切な組み合わせの設定が行われることを未然に回避することができる。
【発明を実施するための最良の形態】
【００１９】
以下、本発明の実施の形態について図面を参照しながら説明する。
【００２０】
（第１の実施の形態）
図１は本発明の第１の実施の形態に係る画像形成装置全体の内部構造を示す縦断面図である。
【００２１】
画像形成装置１０は、図１に示すように、イメージリーダ２００、プリンタ１００、フィニッシャ８００および操作表示部６００を備える。ここで、イメージリーダ２００とプリンタ１００とは、一体的に構成されている。また、フィニッシャ８００は、プリンタ１００に対して着脱可能に構成されている。また、操作表示部６００は、イメージリーダ２００に設けられている。
【００２２】
イメージリーダ２００には、原稿給送装置４００が搭載されている。原稿給送装置４００は、原稿トレイ上に上向きにセットされた原稿を先頭頁から順に１枚ずつ左方向へ給紙し、湾曲したパスを介してプラテンガラス２０２上の所定位置へ搬送する。プラテンガラス２０２上の所定位置へ搬送された原稿は、その左から右方向へ、スキャナユニット２０１により走査され、当該原稿上の画像が読み取られる。スキャナユニット２０１が原稿を走査する際には、原稿の読み取り面がスキャナユニット２０１のランプの光で照射され、その原稿からの反射光がミラーを介してレンズに導かれる。このレンズを通過した光は、イメージセンサ２０３の撮像面に光学像として結像される。この光学像は、イメージセンサ２０３によって画像データに変換されて出力される。イメージセンサ２０３から出力された画像データは、後述する画像信号制御部２８１において所定の処理が施された後にプリンタ１００の露光制御部１０１にビデオ信号として入力される。
【００２３】
次に、シートの片面に画像形成を行う場合について説明する。
【００２４】
プリンタ１００の露光制御部１０１は、入力されたビデオ信号に基づきレーザ光を変調して出力し、該レーザ光は、ポリゴンミラー（図示せず）などにより走査されながら感光ドラム１０２上に照射される。感光ドラム１０２上には、走査されたレーザ光に応じた静電潜像が形成される。
【００２５】
この感光ドラム１０２上の静電潜像は、現像器１０３から供給される現像剤によって現像剤像として可視像化される。また、各カセット１１１，１１２、または、手差給紙トレイ１１３からはシートが給紙される。この給紙されたシートは、その先端がレジストローラ１１４に突き当てられて一旦停止された後に、レーザ光の照射開始と同期したタイミングで、感光ドラム１０２と転写部１０４との間に搬送される。ここで、給紙されたシートの先端がレジストローラ１１４に突き当てられて当該シートが一旦停止されることによって、シートの斜行が補正される。
【００２６】
次いで、感光ドラム１０２に形成された現像剤像は、転写部１０４により、給紙されたシート上に転写される。現像剤像が転写されたシートは、定着部１０５へ搬送される。定着部１０５は、シートを熱圧することによって現像剤像をシート上に定着させる。定着部１０５を通過したシートは、搬送ローラ１１５により、フラッパ１１８へ向けて搬送されフラッパ１１８により、排出ローラ１１６へ向けて搬送される。そして、シートは、排出ローラ１１６を経てプリンタ１００からフィニッシャ８００へ排出される。このとき、シートはフェイスアップの状態で排出される。
【００２７】
また、シートをフェイスダウン状態でフィニッシャ８００へ排出することも可能である。このフェイスダウン排出を行う際には、定着部１０５を通過したシートを反転搬送パス１２０へ導くようにフラッパ１１８が切り換えられ、シートは、フラッパ１１８を経て、各搬送ローラ１１７，１１９により、反転搬送パス１２０内へ搬送される。反転搬送パス１２０へ搬送されたシートは、スイッチバックされ、これにより、シートの表裏が反転される。そして、表裏が反転されたシートは、排出ローラ１１６を経てプリンタ１００からフィニッシャ８００へ排出される。
【００２８】
フィニッシャ８００は、第１パンチユニット７００と、ステイプルスタッカ部５００とを有し、これらを用いて、複数枚のシートが束ねられたシート束に対してステイプル処理、パンチ処理、ソートなどの各種後処理を行うことができる。
【００２９】
第１パンチユニット７００は、多穴パンチ処理を行うためのユニットである。第１パンチユニット７００は、プリンタ１００から排出されたシートを第１パンチユニット７００内へ受け入れるための入口搬送ローラ７０１を有する。第１パンチユニット７００内に搬送されたシートは、フラッパ７０２の切り換え動作に応じて、排出ローラ７１２へ向けて搬送されるか、または搬送ローラ７０３へ向けて搬送される。ここで、シートがフラッパ７０２により排出ローラ７１２へ向けて搬送される場合は、当該シートが第１パンチユニット７００をスルーして直接ステイプルスタッカ部５００へ搬送される場合である。また、シートがフラッパ７０２により搬送ローラ７０３へ向けて搬送される場合は、当該シートに対して多穴パンチ処理が施される場合である。
【００３０】
搬送ローラ７０３の下流側には、搬送ローラ７０４、センサ７０５、パンチ部７０６および突き当て板７０７が設けられている。センサ７０５は、シートの先端を検知するためのセンサである。パンチ部７０６は、シート先端（シートの搬送方向に対して先端となる部位）に多数個の穴例えば３０個の穴をあける多穴パンチ処理を行う。突き当て板７０７は、通常時、シート搬送路を開放する位置にある。突き当て板７０７は、所定のタイミングでπ／２（ｒａｄ）角度的に回転され、シート先端と突き当て可能なようにシート搬送路上に突出する。この突き当て板７０７にシート先端を突き当てることにより、シートをパンチ部７０６に対して所定の精度で位置決めすることができる。
【００３１】
突き当て板７０７の下流側には、各搬送ローラ７０８〜７１１が設けられ、各搬送ローラ７０８〜７１１により、シートを排出ローラ７１２へ導くための搬送路が形成される。
【００３２】
ステイプルスタッカ部５００は、第１パンチユニット７００から排出されたシートを当該ユニット内へ受け入れるための入口ローラ５０１を有する。入口ローラ５０１を介してステイプルスタッカ部５００内へ搬送されたシートは、第２パンチユニット５３０へ導かれる。
【００３３】
第２パンチユニット５３０は、少数穴パンチ処理が設定されている場合に、シート後端（シートの搬送方向に対して後端となる部位）に少数個の穴例えば２〜４個の穴をあける少数穴パンチ処理を行う。また、第２パンチユニット５３０は、少数穴パンチ処理が設定されていない場合、シートをスルーさせて下流側へ搬送するように動作する。この第２パンチユニット５３０内には、シート後端を検知するためのセンサ５３２、およびシート後端が突き当てられる突き当て板５３１が設けられている。
【００３４】
第２パンチユニット５３０が少数穴パンチ処理を行う際には、センサ５３２がシートの後端を検知した後の所定のタイミングで第２パンチユニット５３０内の搬送ローラが逆転される。また、突き当て板５３１がπ／２（ｒａｄ）角度的に回転され、搬送路上に突出する。そして、シートは、突き当て板５３１に向けてスイッチバックされ、シート後端が突き当て板５３１に突き当てられた状態で停止される。このようにしてシートが後端を基準にして位置決めされた状態で、当該シート後端に対して少数個の穴があけられる。その後、シートは、上記搬送ローラによりフラッパ５１８へ向けて搬送される。
【００３５】
フラッパ５１８は、シートをノンソートパス５１６または搬送ローラ５０２へ導くように切り換え動作を行う。ここで、ソート、パンチ、ステイプル処理などの後処理が設定されておらず、シートをそのまま排出する場合は、フラッパ５１８により、シートがノンソートパス５１６へ導かれる。ノンソートパス５１６へ導かれたシートは、搬送ローラ５１７により、スタックトレイ５１０へ排出される。
【００３６】
シートに対してソートやステイプルなどの後処理が設定されている場合、プリンタ１００は、シートをフェイスダウン状態でフィニッシャ８００へ排出する。そして、フィニッシャ８００内に搬入されたシートは第１パンチユニット５００を経てステイプルスタッカ部５００へ搬送された後に、フラッパ５１８により、搬送ローラ５０２へ導かれる。次いで、シートは、搬送ローラ５０２により、束排紙ベルト５０３上へ排出する。ここで、束排紙ベルト５０３に並行して数ミリ高い位置には、低摩擦の中間処理トレイが設けられており、実際には、シートは、中間処理トレイ上に排出される。排出されたシートは、中間処理トレイ（束排紙ベルト５０３）に沿って自重で右下方向に落下する。さらに、扇形の戻しローラ５０４が反時計方向に回転し、その外縁部に設けられた摩擦部材がシートに当接する。この摩擦部材の当接により、シートには右下方向に落下させる力が作用し、シートの端部がストッパ板５０７に突き当てられる。これにより、シートに対して縦方向（送り方向）の揃えが行われる。
【００３７】
また、中間処理トレイ上には、その手前側と奥側とのそれぞれに位置する整合板５０６が設けられている。各整合板５０６は、中間処理トレイ上にシートが排出される毎に駆動される。これにより、中間処理トレイ上のシートに対して横方向（幅方向）へ揃えが行われる。
【００３８】
そして、所定枚数のシートが中間処理トレイ上に排出されて積載されると、束排紙ベルト５０３が駆動され、シートがスタックトレイ５１０または５１１上へ排出される。また、ステイプルモードが設定されている場合、ステイプルを行う一束分のシートが中間処理トレイ上に排出され、整合板５０６によりシートの横方向への揃えが行われる。その後、ステイプルユニット５０５が駆動されてシート束が綴じられ、綴じられたシート束は、束排紙ベルト５０３によりスタックトレイ５１０または５１１上へ排出される。ここで、各スタックトレイ５１０，５１１は、昇降動作可能に構成されている。また、各スタックトレイ５１０，５１１には、シートの有無を検知するためのセンサ５１２，５１３が設けられている。
【００３９】
また、ステイプルユニット５０５は、中間処理トレイ上のシートに対して、横方向へ移動可能であり、シート後端の奥側位置または手前位置を綴じる「コーナー綴じ」、シート後端を２箇所で綴じる「ダブル綴じ」を行うことが可能である。シートに対する綴じ位置は、ユーザにより設定される。
【００４０】
次に、シートに対して多穴パンチ処理が設定されている場合のシート搬送について説明する。
【００４１】
プリンタ１００から排出されたシートが搬送ローラ７０１により第１パンチユニット７００内に搬入されると、このシートは、フラッパ７０２により、搬送ローラ７０３，７０４側のパスに導かれる。次いで、突き当て板７０７がπ／２（ｒａｄ）角度的に回転され、センサ７０５がシートの先端を検知してから所定時間経過後に、パンチ部７０６のローラが停止される。これにより、シート先端が突き当て板７０７に突き当てられる。そして、パンチ部７０６により、シートの先端にパンチ穴があけられる。パンチ処理が終了すると、突き当て板７０７が逆方向へπ／２（ｒａｄ）角度的に回転されて元の位置へ戻される。次いで、パンチ部７０６のローラが再度駆動され、シートは、搬送ローラ７０９，７１０，７１１および排出ローラ７１２を経て、ステイプルスタッカ部５００へ搬送される。
【００４２】
次に、シートに対して少数穴パンチ処理が設定されている場合のシート搬送について説明する。
【００４３】
プリンタ１００から排出されたシートが第１パンチユニット７００を経由して搬送ローラ５０１によりステイプルスタッカ部５００内へ搬入され、第２パンチユニット５３０へ到達すると、センサ５３２がシート先端を検知する。そして、シート後端がセンサ５３を通過して所定時間経過後に、突き当て板５３１がπ／２（ｒａｄ）角度的に回転され、第２パンチユニット５３０内の搬送ローラが逆転駆動される。次いで、センサ５３２が再度シートの後端を検知してから所定時間経過後に、突き当て板５３１にシート後端が突き当てられ、第２パンチユニット５３０内の搬送ローラが停止される。そして、シート後端にパンチ穴があけられる。パンチ処理が終了すると、突き当て板５３１は逆方向へπ／２（ｒａｄ）角度的に回転され、元の位置へ戻される。次いで、第２パンチユニット５３２の搬送ローラが再度駆動され、フラッパ５１８が切り換え動作を行う。これにより、シートは、スタックトレイ５１０または５１１側へ搬送される。
【００４４】
操作表示部６００は、画像形成に関する各種機能またはモードを設定するための複数のキー、設定状態を示す情報を表示するための表示部などを有し、各キーの操作に対応するキー信号が後述する操作表示部制御部６８０へ出力される。また、操作表示部６００は、操作表示部制御部６８０から入力された信号に基づき対応する情報を表示部に表示する。
【００４５】
次に、本画像形成装置全体の制御を行うコントローラの構成について図２および図３を参照しながら説明する。図２は図１の画像形成装置全体の制御を行うコントローラの構成を示すブロック図である。図３は図２のＣＰＵ回路部１５０によりフィニッシャ制御部５８０を介して取得された第１パンチユニット７００、第２パンチユニット５３０およびステイプルユニット５０５が処理する端部を示す処理端部情報の一例を示す図である。
【００４６】
コントローラは、図２に示すように、ＣＰＵ回路部１５０を有する。ＣＰＵ回路部１５０は、ＣＰＵ（図示せず）、ＲＯＭ１５１、ＲＡＭ１５２を内蔵し、ＲＯＭ１５１に格納されている制御プログラムにより各ブロック４８０，２８０，２８１，２８２，１８０，６８０，５８０を総括的に制御する。ＲＡＭ１５２は、制御データを一時的に保持し、また制御に伴う演算処理の作業領域として用いられる。ＣＰＵ回路部１５０は、電源オン時に、原稿給送装置制御部４８０、イメージリーダ制御部２８０、プリンタ制御部１８０、フィニッシャ制御部５８０の各ブロックと通信し、それぞれの構成情報を取得する。例えば、ＣＰＵ回路部１５０は、図３に示すような、第１パンチユニット７００、第２パンチユニット５３０およびステイプルユニット５０５が処理するシート端部を示す処理端部情報を取得する。本実施の形態において、第１パンチユニット７００が処理するシート端部は、シート先端である。また、第２パンチユニット５３０およびステイプルユニット５０５のそれぞれが処理するシート端部は、シート後端である。ここで、シート先端またはシート後端は、シートの搬送方向に対して先端または後端となる部位である。
【００４７】
原稿給送装置制御部４８０は、原稿給送装置４００をＣＰＵ回路部１５０からの指示に基づき駆動制御する。イメージリーダ制御部２８０は、イメージリーダ２００のスキャナユニット２０２、イメージセンサ２０３などに対する駆動制御を行い、イメージセンサ２０３から出力されたアナログ画像信号を画像信号制御部２８１へ転送する。
【００４８】
画像信号制御部２８１は、イメージセンサ２０３からのアナログ画像信号をデジタル信号に変換した後に各処理を施す。この各種処理が施されたデジタル信号は、ビデオ信号に変換された後に、プリンタ制御部１８０へ出力される。また、画像信号制御部２８１は、コンピュータ２８３から外部Ｉ／Ｆ２８２を介して入力されたデジタル画像信号に各種処理を施す。このデジタル画像信号は、ビデオ信号に変換された後にプリンタ制御部１８０へ出力される。この画像信号制御部２８１による処理動作は、ＣＰＵ回路部１５０により制御される。
【００４９】
プリンタ制御部１８０は、入力されたビデオ信号に基づき上述の露光制御部１０１を駆動する。フィニッシャ制御部５８０は、ＣＰＵ回路部１５０からの指示に基づき、第１パンチユニット７００およびステイプルスタッカ部５００の動作を制御する。
【００５０】
操作表示部制御部６８０は、操作表示部６００とＣＰＵ回路部１５０との間でやり取りされる情報の仲介を行う。例えば、操作表示部６００における各キーの操作に対応するキー信号は、操作表示部制御部６８０を介してＣＰＵ回路部１５０へ出力される。また、ＣＰＵ回路部１５０からの信号は、操作表示部制御部６８０を介して操作表示部６００へ出力され、この信号に対応する情報が操作表示部６００に表示される。
【００５１】
次に、多穴パンチモード、ステイプルモードの設定手順とその際のＣＰＵ回路部１５０の処理について図４〜図９を参照しながら説明する。図４は操作表示部６００に表示される後処理モード設定画面の一例を示す図である。図５は多穴パンチモード設定処理の手順を示すフローチャートである。図６はステイプルモードの設定が禁止された設定画面を示す図である。図７はステイプルモード設定処理の手順を示すフローチャートである。図８は「３０穴パンチ」のパンチモードの設定が禁止された設定画面を示す図である。図９は「コーナー綴じ」のステイプルモードと、「２穴パンチ」のパンチモードとが選択された場合の画面の一例を示す図である。
【００５２】
操作表示部６００には、ユーザの操作に応じて、図４に示すような、後処理モードを設定するための後処理モード設定画面が表示される。本実施の形態においては、上記後処理モード設定画面上で、「コーナー綴じ」、「ダブル綴じ」、「３０穴パンチ」、「２穴パンチ」の各モードの中から所望のモードを選択して設定することができる。
【００５３】
ここで、例えば上記後処理モード設定画面上で、「３０穴パンチ」のパンチモードが選択されると、ＣＰＵ回路部１５０は、図５に示す多穴パンチモード設定処理を開始する。ＣＰＵ回路部１５０は、まず、上記後処理モード設定画面上での「３０穴パンチ」のボタンの選択を認識し、多穴パンチモードを設定する（ステップＳ５０１）。そして、ＣＰＵ回路部１５０は、「コーナー綴じ」、「ダブル綴じ」の各ステイプルモードの設定を禁止する（ステップＳ５０２）。この処理により、上記後処理モード設定画面は、図６に示す画面に切り換えられる。そして、図６に示す画面においては、「３０穴パンチ」のパンチモードによる用紙に対する処理内容（穿孔位置など）を表すイメージが表示される。また、「コーナー綴じ」、「ダブル綴じ」のそれぞれに対応するボタンは、グレーアウト表示され、各ボタンの選択操作が不能になる。これにより、「３０穴パンチ」のパンチモードすなわち多穴パンチモードが設定されると、「コーナー綴じ」、「ダブル綴じ」のステイプルモードを設定することができない。
【００５４】
また、図４に示す後処理モード設定画面上で「コーナー綴じ」または「ダブル綴じ」が選択されると、ＣＰＵ回路部１５０は、図７に示すステイプルモード設定処理を開始する。ＣＰＵ回路部１５０は、まずステイプルモードの設定を行う（ステップＳ６０１）。そして、ＣＰＵ回路部１５０は、多穴パンチモードの設定を禁止する（ステップＳ６０２）。この処理により、図４に示す後処理モード設定画面は、図８に示す画面に切り換えられる。この図８に示す画面においては、「３０穴パンチ」のパンチモードを選択することができないようにするために、これに対応するボタンがグレイアウト表示される。また、図８に示す画面においては、ステイプルモードとして「コーナー綴じ」が選択されており、この画面上で、ステイプルモードに対する綴じ位置が選択される。本例においては、ステイプルモードに対する綴じ位置として右上位置（シート後端の奥側位置）が選択されている。
【００５５】
また、「コーナー綴じ」または「ダブル綴じ」のステイプルモードが選択された場合、「２穴パンチ」のパンチモードに対応するボタンは、選択操作可能に表示される。また、「２穴パンチ」のパンチモードが選択された場合、「コーナー綴じ」または「ダブル綴じ」のステイプルモードに対応するボタンは、選択操作可能に表示される。
【００５６】
例えば「コーナー綴じ」のステイプルモードと、「２穴パンチ」のパンチモードとが選択された場合、図９に示すような画面が表示されることになる。また、この画面においては、ステイプルモードに対する綴じ位置として右上位置が選択されている。また、「３０穴パンチ」に対応するボタンは、グレイアウト表示されている。
【００５７】
このように、本実施の形態によれば、「３０穴パンチ」の多穴パンチモードが設定されたときに、「コーナー綴じ」、「ダブル綴じ」に対応するボタンがグレーアウト表示され、「コーナー綴じ」、「ダブル綴じ」のステイプルモードの設定が禁止される。また逆に、「コーナー綴じ」、「ダブル綴じ」のステイプルモードが設定されたときに、「３０穴パンチ」に対応するボタンがグレーアウト表示され、「３０穴パンチ」の多穴パンチモードの設定が禁止される。その結果、成果物に不具合を生じさせるような処理端部がそれぞれ異なる多穴パンチモードとステイプルモードとの不適切な組み合わせの設定が行われることを未然に回避することができる。
【００５８】
（第２の実施の形態）
次に、本発明の第２の実施の形態について図１０および図１１を参照しながら説明する。図１０は本発明の第２の実施の形態に係る画像形成装置の多穴パンチモード設定処理の手順を示すフローチャートである。図１１は本発明の第２の実施の形態に係る画像形成装置のステイプルモード設定処理の手順を示すフローチャートである。
【００５９】
ここで、本実施の形態は、多穴パンチモードおよびステイプルモードの設定手順とその際のＣＰＵ回路部１５０の処理とに関して、上記第１の実施の形態とは異なる。それ以外の点に関しては、本実施の形態は、上記第１の実施の形態と同じである。よって、本実施の形態においては、機能ブロックなどに関しては、上記第１の実施の形態と同じ符号を用いる。
【００６０】
具体的には、図４の後処理モード設定画面上で「３０穴パンチ」のパンチモードが選択されると、ＣＰＵ回路部１５０は、図１０に示す多穴パンチモード設定処理を開始する。ＣＰＵ回路部１５０は、まず、多穴パンチモードを設定する（ステップＳ７０１）。そして、ＣＰＵ回路部１５０は、ステイプルモードが設定されているか否かを判定する（ステップＳ７０２）。ここで、ステイプルモードが設定されていると判定された場合、ＣＰＵ回路部１５０は、ステイプルモードの設定を解除する（ステップＳ７０３）。そして、ＣＰＵ回路部１５０は、本処理を終了する。これに対し、ステイプルモードが設定されていないと判定された場合、ＣＰＵ回路部１５０は、何ら処理を行うことなく、本処理を終了する。
【００６１】
上記図４に示す後処理モード設定画面上で、「コーナー綴じ」または「ダブル綴じ」のスプイプルモードが選択されると、ＣＰＵ回路部１５０は、図１１に示すステイプルモード設定処理を開始する。ＣＰＵ回路部１５０は、まず、ステイプルモードを設定する（ステップＳ８０１）。そして、ＣＰＵ回路部１５０は、多穴パンチモードが設定されているか否かを判定する（ステップＳ８０２）。ここで、多穴パンチモードが設定されていると判定された場合、ＣＰＵ回路部１５０は、多穴パンチモードの設定を解除する（ステップＳ８０３）。そして、ＣＰＵ回路部１５０は、本処理を終了する。これに対し、多穴パンチモードが設定されていないと判定された場合、ＣＰＵ回路部１５０は、何ら処理を行うことなく、本処理を終了する。
【００６２】
（第３の実施の形態）
次に、本発明の第３の実施の形態について図１２〜図１４を参照しながら説明する。図１２は本発明の第３の実施の形態に係る画像形成装置の操作表示部に表示される優先後処理モード選択画面の一例を示す図である。図１３は本発明の第３の実施の形態に係る画像形成装置の多穴パンチモード設定処理の手順を示すフローチャートである。図１４は本発明の第３の実施の形態に係る画像形成装置のステイプルモード設定処理の手順を示すフローチャートである。
【００６３】
ここで、本実施の形態は、多穴パンチモードおよびステイプルモードの設定手順とその際のＣＰＵ回路部１５０の処理とに関して、上記第１の実施の形態とは異なる。それ以外の点に関しては、本実施の形態は、上記第１の実施の形態と同じである。よって、本実施の形態においては、機能ブロックなどに関しては、上記第１の実施の形態と同じ符号を用いる。
【００６４】
操作表示部６００には、ユーザのメニュー選択に応じて、図１２に示すような、優先後処理モード選択画面が表示される。この優先後処理モード選択画面は、多穴パンチモード、ステイプルモードのいずれを、優先後処理モードとするかを選択するための画面である。ここで、選択された優先後処理モードは、ＣＰＵ回路部１５０のＲＡＭ１５２に保持される。
【００６５】
例えば図４に示す後処理モード設定画面上で、「３０穴パンチ」のパンチモードが選択されると、ＣＰＵ回路部１５０は、図１３に示す多穴パンチモード設定処理を開始する。ＣＰＵ回路部１５０は、まず、多穴パンチモードを設定する（ステップＳ１４０１）。そして、ＣＰＵ回路部１５０は、ステイプルモードが設定されているか否かを判定する（ステップＳ１４０２）。ここで、ステイプルモードが設定されていると判定された場合、ＣＰＵ回路部１５０は、上記優先後処理モードとしてステイプルモードが選択されているか否かを判定する（ステップＳ１４０３）。優先後処理モードとしてステイプルモードが選択されていると判定された場合、ＣＰＵ回路部１５０は、多穴パンチモードの設定を解除する（ステップＳ１４０４）。そして、ＣＰＵ回路部１５０は、本処理を終了する。これに対し、優先後処理モードとしてステイプルモードが選択されていないすなわちパンチモードが選択されていると判定された場合、ＣＰＵ回路部１５０は、ステイプルモードの設定を解除する（ステップＳ１４０５）。そして、ＣＰＵ回路部１５０は、本処理を終了する。
【００６６】
上記ステップＳ１４０２においてステイプルモードが設定されていないと判定された場合、ＣＰＵ回路部１５０は、何ら処理を行うことなく、本処理を終了する。
【００６７】
上記図４に示す後処理モード設定画面上で、「コーナー綴じ」または「ダブル綴じ」のスプイプルモードが選択されると、ＣＰＵ回路部１５０は、図１４に示すステイプルモード設定処理を開始する。ＣＰＵ回路部１５０は、まず、ステイプルモードを設定する（ステップＳ１５０１）。そして、ＣＰＵ回路部１５０は、多穴パンチモードが設定されているか否かを判定する（ステップＳ１５０２）。ここで、多穴パンチモードが設定されていると判定された場合、ＣＰＵ回路部１５０は、上記優先後処理モードとして多穴パンチモードが選択されているか否かを判定する（ステップＳ１５０３）。優先後処理モードとして多穴パンチモードが選択されていると判定された場合、ＣＰＵ回路部１５０は、ステイプルモードの設定を解除し（ステップＳ１５０４）、本処理を終了する。これに対し、優先後処理モードとして多穴パンチモードが選択されていないすなわちステイプルモードが選択されていると判定された場合、ＣＰＵ回路部１５０は、多穴パンチモードの設定を解除する（ステップＳ１５０５）。そして、ＣＰＵ回路部１５０は、本処理を終了する。
【００６８】
上記ステップＳ１５０２において多穴パンチモードが設定されていないと判定された場合、ＣＰＵ回路部１５０は、何ら処理を行うことなく、本処理を終了する。
【００６９】
（第４の実施の形態）
次に、本発明の第４の実施の形態について図１５〜図１７を参照しながら説明する。図１５は本発明の第４の実施の形態に係る画像形成装置の多穴パンチモード設定処理の手順を示すフローチャートである。図１６は図１５のステップＳ１６０３で表示される、ステイプルモード（「綴じ」）、多穴パンチモード（「３０穴パンチ」）のいずれを有効にするかを選択するための画面の一例を示す図である。図１７は本発明の第４の実施の形態に係る画像形成装置のステイプルモード設定処理の手順を示すフローチャートである。
【００７０】
ここで、本実施の形態は、多穴パンチモードおよびステイプルモードの設定手順とその際のＣＰＵ回路部１５０の処理とに関しては、上記第１の実施の形態とは異なる。それ以外の点に関しては、本実施の形態は、上記第１の実施の形態と同じである。よって、本実施の形態においては、機能ブロックなどに関しては、上記第１の実施の形態と同じ符号を用いる。
【００７１】
例えば図４に示す後処理モード設定画面上で、「３０穴パンチ」のパンチモードが選択されると、ＣＰＵ回路部１５０は、図１５に示す多穴パンチモード設定処理を開始する。ＣＰＵ回路部１５０は、まず、多穴パンチモードを設定する（ステップＳ１６０１）。そして、ＣＰＵ回路部１５０は、ステイプルモードが設定されているか否かを判定する（ステップＳ１６０２）。ここで、ステイプルモードが設定されていると判定された場合、ＣＰＵ回路部１５０は、図１６に示すようなステイプルモード（「綴じ」）、多穴パンチモード（「３０穴パンチ」）のいずれを有効にするかを選択するための画面を操作表示部６００に表示する（ステップＳ１６０３）。ユーザは、操作表示部６００に表示された上記画面上で、有効にするモードとして、ステイプルモード（「綴じ」）、多穴パンチモード（「３０穴パンチ」）のいずれかを選択する。
【００７２】
次いで、ＣＰＵ回路部１５０は、上記画面上でユーザにより選択されたモードがステイプルモードであるか否かを判定する（ステップＳ１６０４）。ここで、上記選択されたモードがステイプルモードであると判定された場合、ＣＰＵ回路部１５０は、多穴パンチモードの設定を解除し（ステップＳ１６０５）、本処理を終了する。これに対し、上記画面上でユーザにより選択されたモードがステイプルモードでないすなわちパンチモードであると判定された場合、ＣＰＵ回路部１５０は、ステイプルモードの設定を解除し（ステップＳ１６０６）、本処理を終了する。
【００７３】
上記ステップＳ１６０２においてステイプルモードが設定されていないと判定された場合、ＣＰＵ回路部１５０は、何ら処理を行うことなく、本処理を終了する。
【００７４】
上記図４に示す後処理モード設定画面上で、「コーナー綴じ」または「ダブル綴じ」のスプイプルモードが選択されると、ＣＰＵ回路部１５０は、図１７に示すステイプルモード設定処理を開始する。ＣＰＵ回路部１５０は、まず、ステイプルモードを設定する（ステップＳ１７０１）。そして、ＣＰＵ回路部１５０は、多穴パンチモードが設定されているか否かを判定する（ステップＳ１７０２）。ここで、多穴パンチモードが設定されていると判定された場合、ＣＰＵ回路部１５０は、図１６に示すようなステイプルモード（「綴じ」）、多穴パンチモード（「３０穴パンチ」）のいずれを有効にするかを選択するための画面を操作表示部６００に表示する（ステップＳ１７０３）。
【００７５】
次いで、ＣＰＵ回路部１５０は、上記画面上でユーザにより選択されたモードが多穴パンチモードであるか否かを判定する（ステップＳ１７０４）。ここで、上記選択されたモードが多穴パンチモードであると判定された場合、ＣＰＵ回路部１５０は、ステイプルモードの設定を解除し（ステップＳ１７０５）、本処理を終了する。これに対し、上記画面上でユーザにより選択されたモードが多穴パンチモードでないすなわちステイプルモードであると判定された場合、ＣＰＵ回路部１５０は、多穴パンチモードの設定を解除し（ステップＳ１７０６）、本処理を終了する。
【００７６】
上記ステップＳ１７０２において多穴パンチモードが設定されていないと判定された場合、ＣＰＵ回路部１５０は、何ら処理を行うことなく、本処理を終了する。
【００７７】
本発明の目的は、実施形態の機能を実現するソフトウェアのプログラムコードを記録した記憶媒体を、システム或いは装置に供給し、そのシステム或いは装置のコンピュータ（またはＣＰＵやＭＰＵ等）が記憶媒体に格納されたプログラムコードを読み出して実行することによっても達成される。
【００７８】
この場合、記憶媒体から読み出されたプログラムコード自体が前述した実施の形態の機能を実現することになり、そのプログラムコードを記憶した記憶媒体は本発明を構成することになる。
【００７９】
また、プログラムコードを供給するための記憶媒体としては、例えば、フロッピー（登録商標）ディスク、ハードディスク、光磁気ディスク、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、ＲＯＭ等を用いることができる。または、プログラムコードをネットワークを介してダウンロードしてもよい。
【００８０】
また、コンピュータが読み出したプログラムコードを実行することにより、上記実施の形態の機能が実現されるだけでなく、そのプログラムコードの指示に基づき、コンピュータ上で稼動しているＯＳ（オペレーティングシステム）等が実際の処理の一部または全部を行い、その処理によって前述した実施形態の機能が実現される場合も含まれる。
【００８１】
さらに、記憶媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれる。
【００８２】
また、コンピュータが読み出したプログラムコードを実行することにより、前述した各実施の形態の機能が実現されるだけでなく、そのプログラムコードの指示に基づき、コンピュータ上で稼働しているＯＳなどが実際の処理の一部または全部を行い、その処理によって前述した各実施の形態の機能が実現される場合も、本発明に含まれることはいうまでもない。
【００８３】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【００８４】
上記実施の形態では、印刷方式として電子写真方式の場合を例に挙げたが、本発明は、電子写真方式に限定されるものではなく、インクジェット方式、熱転写方式、感熱方式、静電方式、放電破壊方式など各種印刷方式に適用することができる。
【００８５】
上記プログラムの形態は、オブジェクトコード、インタプリタにより実行されるプログラムコード、ＯＳ（オペレーティングシステム）に供給されるスクリプトデータ等の形態から成ってもよい。
【図面の簡単な説明】
【００８６】
【図１】本発明の第１の実施の形態に係る画像形成装置全体の内部構造を示す縦断面図である。
【図２】図１の画像形成装置全体の制御を行うコントローラの構成を示すブロック図である。
【図３】図２のＣＰＵ回路部１５０によりフィニッシャ制御部５８０を介して取得された第１パンチユニット７００、第２パンチユニット５３０およびステイプルユニット５０５が処理する端部を示す処理端部情報の一例を示す図である。
【図４】操作表示部６００に表示される後処理モード設定画面の一例を示す図である。
【図５】多穴パンチモード設定処理の手順を示すフローチャートである。
【図６】ステイプルモードの設定が禁止された設定画面を示す図である。
【図７】ステイプルモード設定処理の手順を示すフローチャートである。
【図８】「３０穴」のパンチモードの設定が禁止された設定画面を示す図である。
【図９】「コーナー綴じ」のステイプルモードと、「２穴パンチ」のパンチモードとが選択された場合の画面の一例を示す図である。
【図１０】本発明の第２の実施の形態に係る画像形成装置の多穴パンチモード設定処理の手順を示すフローチャートである。
【図１１】本発明の第２の実施の形態に係る画像形成装置のステイプルモード設定処理の手順を示すフローチャートである。
【図１２】本発明の第３の実施の形態に係る画像形成装置の操作表示部に表示される優先後処理モード選択画面の一例を示す図である。
【図１３】本発明の第３の実施の形態に係る画像形成装置の多穴パンチモード設定処理の手順を示すフローチャートである。
【図１４】本発明の第３の実施の形態に係る画像形成装置のステイプルモード設定処理の手順を示すフローチャートである。
【図１５】本発明の第４の実施の形態に係る画像形成装置の多穴パンチモード設定処理の手順を示すフローチャートである。
【図１６】図１５のステップＳ１６０３で表示される、ステイプルモード（「綴じ」）、多穴パンチモード（「３０穴パンチ」）のいずれを有効にするかを選択するための画面の一例を示す図である。
【図１７】本発明の第４の実施の形態に係る画像形成装置のステイプルモード設定処理の手順を示すフローチャートである。
【図１８】従来のシート処理装置において、シート先端に対してパンチ処理を行う多穴用パンチユニットを用いて多穴パンチ処理とステイプル処理とを実施した場合に得られた成果物の一例を示す図である。
【符号の説明】
【００８７】
１０  画像形成装置
１００  プリンタ
２００  リーダ
４００  原稿給送装置
５００  ステイプルスタッカ部
５０５  ステイプルユニット
５３０  第２パンチユニット
６００  操作表示部
７００  第１パンチユニット
【図１】
2007062912.tif 000003
【図２】
2007062912.tif 000004
【図３】
2007062912.tif 000005
【図４】
2007062912.tif 000006
【図５】
2007062912.tif 000007
【図６】
2007062912.tif 000008
【図７】
2007062912.tif 000009
【図８】
2007062912.tif 000010
【図９】
2007062912.tif 000011
【図１０】
2007062912.tif 000012
【図１１】
2007062912.tif 000013
【図１２】
2007062912.tif 000014
【図１３】
2007062912.tif 000015
【図１４】
2007062912.tif 000016
【図１５】
2007062912.tif 000017
【図１６】
2007062912.tif 000018
【図１７】
2007062912.tif 000019
【図１８】
2007062912.tif 000020